(57)【要約】      （修正有）【課題】面倒な準備なく仕様でき下地の上に異なる色を塗布して簡単に塗装面に模様を施すことができるペイントローラを提供する。【解決手段】本発明に係るペイントローラ１は、把手２を有する軸へ装着される筒状のロール本体と、ロール本体の外周面と分離不能に形成されて当該外周面を覆う複数の塗材付着部４１と、ロール本体の外周面と分離不能に形成された塗材非付着部４２とを有する塗装用ロール４を備え、ロール本体の外周面へ２種以上の形状や大きさの異なる塗材付着部が備えられ、塗材非付着部は塗材付着部よりもロール本体の中心に向け後退し、塗材非付着部は、塗材付着部の夫々を取り囲み各塗材付着部同士を不規則な飛石状に離間させる連続した領域である。【選択図】図１
2019177320.tif 000002
【特許請求の範囲】
【請求項１】
把手を備えたペイントローラの軸に装着して使用する筒状の塗装用ロールにおいて、
前記軸へ装着される筒状のロール本体と、前記ロール本体の外周面へ当該外周面と分離不能に形成されて当該外周面を覆う複数の塗材付着部と、前記ロール本体の外周面へ当該外周面と分離不能に形成された塗材非付着部とを備え、
前記塗材付着部は、塗装に用いる塗材を主として保持する領域であり、前記ロール本体の外周面へ２種以上の形状又は大きさの異なる前記塗材付着部が備えられ、
複数の前記塗材付着部同士は、互いの間隔を開けて前記ロール本体の外周面に分散配置されたものであり、
前記塗材非付着部は、前記塗材付着部のない領域であり且つ前記塗材付着部よりも前記塗装用ロールの中心に向け後退するものであり、
前記塗材非付着部は、前記各塗材付着部間に配されて前記塗材付着部の夫々を取り囲む連続した領域であることを特徴とする塗装用ロール。
【請求項２】
前記塗材非付着部は、複数の前記塗材付着部間から露出するロール本体の前記外周面であり、
前記塗材付着部は、ベルベット等のパイル地とフェルトと化繊綿の少なくとも何れかであり、
前記ロール本体の少なくとも前記外周面は、樹脂、紙、布又はフェルトであることを特徴とする請求項１記載の塗装用ロール。
【請求項３】
前記塗材付着部において、複数のフェルトのシート片が重なって前記ロール本体を覆う複数の層をなすものであり、
直接重なり合う前記シート片間において上層のシート片は下層のシート片よりも小片であり、前記塗材付着部が前記ロール本体の径外方向に向けて先細りとなるように前記各シート片が重なっており、
ローラ本体の前記外周面からの前記塗材付着部の突出幅を２〜４ｍｍとする請求項２記載の塗装用ロール。
【請求項４】
請求項１乃至３の何れかに記載の塗装用ロールを備えたペイントローラ。
【請求項５】
把手を備えたペイントローラの軸に装着して使用する筒状の塗装用ロールの製造方法において、
前記塗装用ロールは、前記軸へ装着される筒状のロール本体と、前記ロール本体の外周面へ当該外周面と分離不能に形成されて当該外周面を覆う複数の塗材付着部と、前記ロール本体の外周面へ当該外周面と分離不能に形成された塗材非付着部とを備えるものとし、
前記塗材付着部は、塗装に用いる塗材を主として保持する領域とし、前記ロール本体の外周面へ２種以上の形状又は大きさの異なる前記塗材付着部を備えるものとし、
複数の前記塗材付着部同士を、互いの間隔を開けて前記ロール本体の外周面に、分散配置するものとし、
前記塗材非付着部は、前記ロール本体表面を部分的に露出させる前記塗材付着部のない領域とし、
前記塗材非付着部は、前記各塗材付着部間に配されて前記塗材付着部の夫々を取り囲み、前記各塗材付着部同士を不規則な飛石状に離間させる連続した領域とするものであり、
ロール本体の少なくとも前記外周面全体をフェルトとし、前記フェルトと別体に形成された複数のフェルト製又は化繊綿製のシート片を、接着剤にて前記ロール本体の外周面へ貼り付けることにより前記塗材付着部の夫々を形成する塗装用ロールの製造方法。
【請求項６】
把手を備えたペイントローラの軸に装着して使用する筒状の塗装用ロールの製造方法において、
前記塗装用ロールは、前記軸へ装着される筒状のロール本体と、前記ロール本体の外周面へ当該外周面と分離不能に形成されて当該外周面を覆う複数の塗材付着部と、前記ロール本体の外周面へ当該外周面と分離不能に形成された塗材非付着部とを備えるものとし、
前記塗材付着部は、塗装に用いる塗材を主として保持する領域とし、前記ロール本体の外周面へ２種以上の形状又は大きさの異なる前記塗材付着部を備えるものとし、
複数の前記塗材付着部同士を、互いの間隔を開けて前記ロール本体の外周面に、分散配置するものとし、
前記塗材非付着部は、前記ロール本体表面を部分的に露出させる前記塗材付着部のない領域とし、
前記塗材非付着部は、前記各塗材付着部間に配されて前記塗材付着部の夫々を取り囲み、前記各塗材付着部同士を不規則な飛石状に離間させる連続した領域とするものであり、
ロール本体の少なくとも前記外周面全体を樹脂又は紙にて形成し、前記外周面全体は分離不能にベルベット等のパイル地で覆われたものとし、
前記パイル地を部分的に除去することにて、残ったパイル地の領域を前記塗材付着部とし、パイル地が除去された領域を前記塗材非付着部とする塗装用ロールの製造方法。
【発明の詳細な説明】
【技術分野】
【０００１】
本発明は、塗装用ロール及びその製造方法並びにその塗装用ロールを備えたペイントローラに関する。
【背景技術】
【０００２】
従来建物の外壁などの塗装に用いる、ペンキなどの塗材を塗布するペイントローラは、均一に塗材を塗布することを目的とするものが一般的であった（特許文献１）。
上記ペイントローラは、把手と、把手と一体に形成された軸棒を備え、当該軸棒へ刷毛などを植毛された筒状の塗装用ロールを装着して使用する。
【０００３】
特許文献１には、ローラと、該ローラを回転自在に支持するローラーフレームと、該ローラーフレームに取り付けられた柄とを有し、該ローラの表面には該表面の外側空間を多数の部分に区画する隔壁が配置されていて、該隔壁及び該表面によって多数の凹みが形成されていることを特徴とする塗り床材の塗布厚を一定にするための塗り床材用流しのべ施工具が示され（請求項１）、またその図１乃至図３へ規則的に配列された複数の凹みが示され、複数の凹み同士は、連続しない独立したものである。
特許文献１によれば、上記塗り床材用流しのべ施工具を用いることにより、液状の反応硬化性組成物からなる塗り床材を用い、流しのべ工法によって継ぎ目なし樹脂製床を施工する際に、熟練を必要とすることなしに塗り床材の塗布厚がほぼ均一で表面が水平になるように流動させることができるとされる。
【０００４】
その一方で近年建物の外壁の装飾性を高めるために、不規則な模様を建物の外壁へ付すことが行われる。上記不規則な模様の形成は、上記のペイントローラで均一な下塗りをした後、下塗りと異なる色のペンキを下塗りの全てを覆わないようロールを傾けて断続的に塗装面へ当てるなど、職人技を生かして行われるものであった。
特に最近では、熟練した職人でなくとも、当該不均一な塗材の塗布を迅速に行えるように上記塗装用ロールに対する種々の工夫が提案されている（特許文献２〜５）。
【０００５】
特許文献２には、立毛布帛よりなる塗工表面を有する模様付け塗装具であって、塗工表面が、地組織の片面に湿熱接着性繊維を５０質量％以上の割合で含む繊維から形成した立毛繊維層を有し、前記立毛繊維層を形成する繊維同士が立毛繊維層表面から外方に向かって開放した多数の不揃いなセル状空孔を立毛繊維層内に形成すると共にそれによって該立毛繊維層の表面に多数の不揃いな凹凸模様を形成した状態で前記湿熱接着性繊維の接着作用により立毛繊維層部分で互いに網状に接着している海綿状の立毛繊維層を有する立毛布帛から形成されていることを特徴とする模様付け塗装具が示されている（請求項１、図１及び図２）。
特許文献２によれば、塗装具の塗工表面をなす立毛布帛が表面に凹凸模様を有する海綿状の立毛繊維層を地組織の少なくとも一部に有しているため、被塗装面に美麗な模様を形成することができるとされる。
【０００６】
特許文献３には、回転自在に軸着されたローラの表面に、適宜形状に形成された多数の弾性シートの一端を夫々取り付けたことを特徴とする模様付けローラが示されている（請求項１、第１図及び第６図）。
特許文献３によれば、上記構成により、高度な技術を駆使することなく、複雑多彩な繰り返し模様を簡単に施工できるとされる。
【０００７】
特許文献４には、発泡高分子材料で構成される外層を有し、外径が５５〜７５ｍｍであり、前記外層の表面に凸部が平坦な凹凸部が形成され、前記凹凸部の凸部間の距離が５．０〜３０ｍｍであり、前記凹凸部における凹部の傾斜部と凸部のなす角度が、２０〜８０°であり、前記外層の空隙率が７０〜９０％であることを特徴とする、塗装用ローラが示されている（請求項１及び図４）。
特許文献４によれば、油彩などの絵画の制作においても、塗布後の乾燥が不十分な状態の絵具の上に、別の色彩の絵具を塗ると、既に塗布した絵具と、重ね塗りした絵具が混ざり合うことで、中間の発色が見られたり、斑模様が形成されたりすることがあるとのことである。
【０００８】
特許文献５には、塗料付着層を外周面に備えるローラ本体と、該ローラ本体を覆う筒状部材とを有し、前記筒状部材は、その周壁に複数の貫通孔を有し、前記貫通孔は、前記筒状部材の少なくとも一方端に形成されており、前記貫通孔から前記塗料付着層が突出して刷毛部を形成している、塗装用ローラが示されている（請求項１、図２及び図３）。
特許文献５によれば、上記構成を採る塗装用ローラは、複数の貫通孔を有する筒状部材をローラ本体に被せるだけなので、容易に凹凸形状を形成できるとされ、このとき、斑模様を形成するのは貫通孔から突出したローラ本体の塗料付着層（刷毛部）であり、筒状部材では塗料を塗布しないとされ、したがって、筒状部材の形成材料は特に制限されないとされ、生産性の高い射出成形により筒状部材を製造することも可能であるとされ、さらに、貫通孔から突出した刷毛部によって斑模様を形成するため、筒状部材の貫通孔の数、大きさ、及び形状等の自由度が高い、種々の斑模様をはっきりと形成することができるとされ、異なる貫通孔形状の筒状部材を交換するだけで異なる斑模様を形成することができるので汎用性も高いとされ、筒状部材をローラ本体に被せるだけで多数の凹凸を容易に形成できるため、組立作業も簡便とされる。
【先行技術文献】
【特許文献】
【０００９】
【特許文献１】特開平１１−２０７２４５号公報
【特許文献２】特開２００５−２８８２７５号公報
【特許文献３】実開平２−１９５７２号公報
【特許文献４】特許第５６２６６７１号公報
【特許文献５】特許第５９０５６３２号公報
【発明の概要】
【発明が解決しようとする課題】
【００１０】
特許文献１に示されたものは、上記の通り均一な塗材の塗布を目的とするものであり、複数の凹みを備えるも、複数の凹みは規則的に配列され、隣接する凹み間の領域即ち凸部は連続するのであり複数に分離したものではない。
【００１１】
特許文献２には、不規則に配列された複数のセル状空孔を備えた塗装用ロールが示されているが、立毛繊維層の表面において複数のセル状空孔同士は分離しており、立毛繊維層表面のセル状空孔が設けられていない即ち隣接するセル状空孔の間の領域は連続するものとなっている。
このため、当該塗装用ロールにて下塗りの色（第１の色）と異なる色（第２の色）で、模様を塗装する場合、均一な下塗りと同様の動作で塗装用ロールを塗装面にて転がすと、第２の色で着色される領域は連続したものとなり、遠目には第１の色と第２の色による２色の配色が識別し難く、面白みに欠ける。このような塗装用ロールで、遠目にも無模様単色に塗装された壁面と区別できる際立つ配色を施そうとすれば、熟練した職人の高度な技術に頼る他ない。
【００１２】
また特許文献３でも、多数の弾性シートの一端をローラ表面へ取り付けるなどの工夫がみられるが、その第１図〜第３図へ示される通り、弾性シートの植毛領域と弾性シートが植毛されていない非植毛領域とは明確に区別できるものではなく、単純に塗装面にローラを転がしても、この場合も遠目には２色の配色が識別し難く、面白みに欠ける。このような塗装用ロールで、遠目にも無模様単色に塗装された壁面と区別できる配色を施そうとすれば、やはり熟練した職人の高度な技術に頼る他ない。
【００１３】
更に特許文献４についても、その図４に示される通り発泡高分子材料で構成される外層の凹凸において、凹領域と凸領域とは明瞭に領域分けされたものではなく、塗装面へグラデーションを有する塗装パターンを付すことができるとしても、遠目には２色の配色が識別し難く、面白みに欠ける。このような塗装用ロールで、遠目にも無模様単色に塗装された壁面と区別できる配色を施そうとすれば、やはり熟練した職人の高度な技術に頼る他ない。
【００１４】
一方特許文献５では、既存の塗装用ローラへ、所々に穴（貫通孔）のあいたマスク（筒状部材）を被せることによって、不規則な模様を塗布できるものとするため、マスクされて刷毛部のない塗材の非付着部は連続し、穴から刷毛部が突出する塗材の各付着部間を明確に画する。従って上記穴を不規則な形状や大きさに形成すると共に隣接する穴間の間隔を開けるなどの各穴の配置の工夫によって、下塗りを見せる領域と上塗りされた領域の色の違いを遠目にも認識できる塗装が、下塗り同様簡単に行えるものと考えられる。
【００１５】
しかし、特許文献５に示された手法では、刷毛を植毛されたロール本体へ一々マスクを装着するのが面倒である。具体的には、ペイントローラの軸へ表面全体を刷毛部とする塗装用ロールを装着し、更に塗装用ロールと別体に形成された筒状部材を当該塗装用ロールに被せるという手間を採る必要があった。
また、刷毛部の毛足が短いものでは、マスクの厚みに邪魔され刷毛部に十分な塗材の付着が行えず、意図した仕上げ模様を形成するのが困難となる場合もある。
本発明は、上記特許文献５の問題を解決し、熟練した職人に頼らずとも、簡単に且つ遠目にも従来の無模様単色の塗装と異なることが認識できる、新たな塗装を可能とする塗装用ロールを提供する。
【課題を解決するための手段】
【００１６】
本発明では、把手を備えたペイントローラの軸に装着して使用する筒状の塗装用ロールについて次の構成を採るものを提供する。
即ちこの塗装用ロールは、前記軸へ装着される筒状のロール本体と、前記ロール本体の外周面へ当該外周面と分離不能に形成されて当該外周面を覆う複数の塗材付着部と、前記ロール本体の外周面へ当該外周面と分離不能に形成された塗材非付着部とを備え、前記塗材付着部は、塗装に用いる塗材を主として保持する領域であり、前記ロール本体の外周面へ２種以上の形状又は大きさの異なる前記塗材付着部が備えられ、複数の前記塗材付着部同士は、互いの間隔を開けて前記ロール本体の外周面に分散配置されたものであり、前記塗材非付着部は、前記塗材付着部のない領域であり且つ前記塗材付着部よりも前記ロール本体の中心に向け後退するものであり、前記塗材非付着部は、前記各塗材付着部間に配されて前記塗材付着部の夫々を取り囲む連続した領域である。
上記の分離不能とは、固着されて通常の使用においては取り外しできないという意味である。従って例えば廃棄する際などに引き剥がすなど破壊すれば分離できる場合もここでいう分離不能に含む。
尚、上記塗材非付着部には、塗材を全く付着させないもののみならず、上記塗材付着部より塗材を付着し難いものであれば塗材を付着するものも含む。またここで付着し難いとは、素材による他、塗材非付着部が塗布面に対し上記塗材付着部より後退しているなど物理的な配置によるものも含む。
また本発明では、前記塗材非付着部は、複数の前記塗材付着部間から露出するロール本体の前記外周面であり、前記塗材付着部は、ベルベット等のパイル地とフェルトと化繊綿の少なくとも何れかであり、前記ロール本体の少なくとも前記外周面は、樹脂、紙、布又はフェルトである塗装用ロールを提供できた。
尚、上記ベルベット等のパイル地には、ベルベットの他、ベロア、ベッチン、コーデュロイを含む。また上記化繊綿には、ポリエステル綿を含む他、綿状に形成された他の化学繊維も含む。
更に本発明では、前記塗材付着部において、複数のフェルトのシート片が重なって前記ロール本体を覆う複数の層をなすものであり、直接重なり合う前記シート片間において、上層のシート片は、下層のシート片よりも小片であり、前記塗材付着部が前記ロール本体の径外方向に向けて先細りとなるように前記各シート片が重なっており、ローラ本体の前記外周面からの前記塗材付着部の突出幅を２〜４ｍｍとする塗装用ロールを提供できた。
また更に本発明は、上記塗装用ロールを備えたペイントローラを提供できた。
更にまた本発明は、把手を備えたペイントローラの軸に装着して使用する筒状の塗装用ロールの製造方法について次の構成を採るものを提供できた。
即ち、前記塗装用ロールは、前記軸へ装着される筒状のロール本体と、前記ロール本体の外周面へ当該外周面と分離不能に形成されて当該外周面を覆う複数の塗材付着部と、前記ロール本体の外周面へ当該外周面と分離不能に形成された塗材非付着部とを備えるものとし、前記塗材付着部は、塗装に用いる塗材を主として保持する領域とし、前記ロール本体の外周面へ２種以上の形状又は大きさの異なる前記塗材付着部を備えるものとし、複数の前記塗材付着部同士を、互いの間隔を開けて前記ロール本体の外周面に、分散配置するものとし、前記塗材非付着部は、前記ロール本体表面を部分的に露出させる前記塗材付着部のない領域とし、前記塗材非付着部は、前記各塗材付着部間に配されて前記塗材付着部の夫々を取り囲み、前記各塗材付着部同士を不規則な飛石状に離間させる連続した領域とするものであり、ロール本体の少なくとも前記外周面全体をフェルトとし、前記フェルトと別体に形成された複数のフェルト製又は化繊綿製のシート片を、接着剤にて前記ロール本体の外周面へ貼り付けることにより前記塗材付着部の夫々を形成する。
また本発明は、把手を備えたペイントローラの軸に装着して使用する筒状の塗装用ロールの製造方法について次の構成を採るものを提供できた。
即ち、前記塗装用ロールは、前記軸へ装着される筒状のロール本体と、前記ロール本体の外周面へ当該外周面と分離不能に形成されて当該外周面を覆う複数の塗材付着部と、前記ロール本体の外周面へ当該外周面と分離不能に形成された塗材非付着部とを備えるものとし、前記塗材付着部は、塗装に用いる塗材を主として保持する領域とし、前記ロール本体の外周面へ２種以上の形状又は大きさの異なる前記塗材付着部を備えるものとし、複数の前記塗材付着部同士は、互いの間隔を開けて前記ロール本体の外周面に、分散配置するものとし、前記塗材非付着部は、前記ロール本体表面を部分的に露出させる前記塗材付着部のない領域とし、前記塗材非付着部は、前記各塗材付着部間に配されて前記塗材付着部の夫々を取り囲み、前記各塗材付着部同士を不規則な飛石状に離間させる連続した領域とするものであり、ロール本体の少なくとも前記外周面全体を樹脂又は紙にて形成し、前記外周面全体は分離不能にベルベット等のパイル地で覆われたものとし、前記パイル地を部分的に除去することにて、残ったパイル地の領域を前記塗材付着部とし、パイル地が除去された領域を前記塗材非付着部とする。
【発明の効果】
【００１７】
本発明では、塗装の経験の浅い者でも、下地の上に下地と異なる色を塗布して簡単に塗装面に模様を施すことができる塗装用ロールを提供できた。
特に遠目にも無模様単色の従来の塗装と区別できる模様を塗装面へ施すことができる塗装用ロールを提供できた。
また、上記効果を得るために、本発明は、塗装時にローラ本体へマスクを被せるなどの手間を必要としない。このため例えば、本発明では、塗材付着部として、毛足の短いベルベット、ベロア、ベッチン、コーデュロイ、フェルト、更にポリエステル綿などの化繊綿といった素材を採用することができる。
また、実施の形態レベルにおいては、塗材付着部に関し複数のフェルトのシート片を重ねた複数の層としつつ、重ねたシート片がロール本体の径外に向けて先細りとなるよう形成することによって、例えばレンガ造りを模した起伏のある壁面に対して、塗材を塗布する際、塗材付着部が、目地を模した窪みにもより確実に入り込み、当該窪み内にも適切に塗装を施すことができる。
また、本発明では、面倒な準備なく使用でき下地の上に異なる色を塗布して簡単に塗装面に模様を施すことができるペイントローラを提供できた。
更に、本発明は、上記塗装用ロールを簡単に形成できる具体的な製造方法を提供できた。
【図面の簡単な説明】
【００１８】
【図１】本発明に係るペイントローラの斜視図。
【図２】（Ａ）は図１のペイントローラへ装着して使用する塗装用ロールの分解斜視図、（Ｂ）は完成後の（Ａ）の塗装用ロールの一部切欠断面図。
【図３】ペイントローラの軸へ図２（Ｂ）の塗装用ロールを装着する直前の状態を示す斜視図。
【図４】（Ａ）は図２（Ｂ）の塗装用ロールの変更例を示す一部切欠断面図、（Ｂ）は（Ａ）の塗装用ロールの斜視図、（Ｃ）は（Ａ）（Ｂ）の変形例に係る塗装用ロールの使用状態を示す説明図、（Ｄ）は（Ａ）（Ｂ）の塗装用ロールの使用状態を示す説明図。
【図５】本発明の更に他の実施の形態に係るペイントローラの斜視図。
【図６】（Ａ）及び（Ｂ）は図５のペイントローラに用いる塗装用ロールの製造工程を示す斜視図、（Ｃ）は図５のペイントローラに用いる塗装用ロールの完成した状態を示す斜視図。
【図７】ペイントローラの軸へ図６（Ｃ）の塗装用ロールを装着する直前の状態を示す斜視図。
【図８】（Ａ）は本発明に係るペイントローラによる塗装前の下地ベースを施工された壁面を示す正面図、（Ｂ）は本発明に係るペイントローラを用いて（Ａ）の壁面へ第１彩色を塗装する状態を示す正面図。
【図９】（Ａ）は図８（Ｂ）の塗装後の壁面へ第２彩色を塗装する状態を示す正面図、（Ｂ）は（Ａ）の塗装後クリヤー仕上げ面を形成した壁面の正面図。
【図１０】図８及び図９の塗装の概念を示す説明図。
【図１１】（Ａ）は市販されている既成の塗装用ロールを備えたペイントローラの斜視図、（Ｂ）は（Ａ）の塗装用ロールへフェルトシートの被覆部を形成する途中の状態を示す前記塗装用ロールの斜視図。
【図１２】（Ａ）は図１１（Ｂ）に示す工程を経てフェルトシートの被覆部を形成されたロール本体の斜視図、（Ｂ）は（Ａ）のロール本体へ塗材付着部を設けて完成させた状態の塗装用ロールの斜視図。
【発明を実施するための形態】
【００１９】
以下、図面に基づき本発明の実施の形態について説明する。
（ペイントローラの基本構成）
このペイントローラ１は、把手２と、軸部３と、塗装用ロール４とを備える（図１及び図３）。軸部３は、金属製の棒材であり、軸３１と、当該軸３１と把手２とを繋ぐ中間部３２とにて構成される。この例では、上記中間部３２が屈曲し、把手２の伸びる方向（長手方向）に対し軸３１の伸びる方向（長手方向）が略直角をなす。
【００２０】
軸部３の上記軸３１には、ロール嵌合部５を介して上記塗装用ロール４が装着される（図３）。軸３１は、塗装用ロール４の回転の中心軸である。
具体的には、軸３１には、軸３１に対して回動自在に筒状の上記ロール嵌合部５が嵌められている（図３）。この例では、筒状のロール嵌合部５の両端には、筒状のロール嵌合部５の他の部分よりも径の大きなエンドキャップ部５１が設けられている。エンドキャップ部５１はプラスチック製の部材である。エンドキャプ部５１へ塗装用ロール４が力嵌めされ、塗装用ロール４は、軸３１に対しロール嵌合部５と共に回動自在に軸支される。
【００２１】
この例では、エンドキャップ部５１は筒状の塗装用ロール４の両端の開口部を塞ぐ蓋体となっている。但し、ロール嵌合部５はエンドキャップ部５１を備えないものとし、例えばロール嵌合部５の外周面全体が直接塗装用ロール４の内周面へ当接するものとしても実施できる。即ち、ロール嵌合部５は、塗装用ロール４の内径と対応する外径を備えた円柱状体として、当該円柱状体の外周面へ塗装用ロール４を強制的に嵌め合わせるのである。
【００２２】
軸３１の先端即ち、軸３１の中間部３２と反対側の端部には、上記ロール嵌合部５を回転軸から脱落しないよう抜け止めが形成されている（図示しない）。当該抜け止めには、軸３１先端側外周面へ突起を設けたり当該先端側の径を軸３１の長手方向の他の部位よりも径の大きな部分を形成したり或いはフランジ状の部材をネジ止めするなど周知の手段を採用することができる。
【００２３】
軸３１へ装着された塗装用ロール４の外周面へペンキなどの塗材を付着させて、把手２を持って塗装する面即ち塗装面で塗装用ロール４を転がし、塗装面へ塗材を塗ることができる。
塗装用ロール４は、外周面へ塗材を主として付着させる複数の塗材付着部４１と、塗材付着部４１よりも塗装用ロール４の中心側へ後退して塗材を塗材付着部４１ほど付着させない塗材非付着部４２とを備える。
以下、塗装用ロール４の構成を中心に更に詳しく説明する。
【００２４】
（塗装用ロール４）
塗装用ロール４は、筒状のロール本体４０と、上記塗材付着部４１とを備える。
ロール本体４０は、この例では、筒状の芯部材４０ｂと、芯部材４０の外周面全体を覆う被覆部４０ａとにて構成されている。具体的には、芯部材４０ｂには紙管を採用する。この他芯部材４０ｂにはプラスチック製の筒状体を採用することができる。
また、被覆部４０ａには表面へフェルトが張られたフェルトシートを採用する。当該フェルトシートは、接着剤にて芯部材４０ｂの外周面へ貼られている。当該接着剤は被覆部４０ａを芯部材４０ｂ表面から分離させないように固定できる、周知のものを採用する。
尚、ロール本体４０は、被覆部４０ａを備えないものとしても実施できる。
【００２５】
上記塗材付着部４１の夫々は、フェルトの小片即ちフェルト製のシート片４１ｐにて構成される（図２（Ａ））。複数の上記シート片４１ｐをロール本体４０の被覆部４０ａの表面へ接着剤で貼ることにより、ロール本体４０表面へ複数の塗材付着部４１を形成する。接着剤については、塗材付着部４１となるシート片４１ｐを被覆部４０ａの表面へ分離しないように貼り付けることができる、周知のものを採用する。
塗材付着部４１となるシート片４１ｐの夫々は互いに間隔を開けてロール本体４０の被覆部４０ａ表面へ貼られ、塗材付着部４１はロール本体４０外周面へ点在する。
【００２６】
上記の通り塗材付着部４１をフェルトにて構成することにより、塗材付着部４１の表面は、起伏の無い滑らかなものとすることができる。また、フェルトは液状の塗材離れがよく、例えば芯部材４０ｂにプラスチックを採用することにより、洗浄することで塗装用ロール４を繰り返し使用することができる。
但し、塗材付着部４１を上記フェルトに代えて、パイル地即ち、毛足の短いベルベットや、ベロア、ベッチン、コーデュロイ、ポリエステル綿などの化繊綿の何れかを採用しても同様のフェルトと同様の上記効果を得ることができる。塗材付着部４１として特に上記のポリエステル綿即ち綿状のポリエステルを採用する場合、ロール本体４０表面に対し約５ｍｍ程度の厚さを持つように形成するのが好ましい。但し、目的とする塗装を行うことができれば、ポリエステル綿による塗材付着部４１を上記厚み以外の厚みに形成して実施してもよい。
【００２７】
互いに離間した状態にロール本体４０（被覆部４０ａ）の外周面へ設けられた複数の塗材付着部４１間から露出する被覆部４０ａの表面（フェルト）が塗材非付着部４２となる。塗材付着部４１が点在する即ち塗材付着部４１同士が離間して（分散）配置される。塗材非付着部４２の各部は一続きの連続したものとして、塗材付着部４の夫々を取り囲む。この例では、塗材付着部４１もフェルトであり塗材非付着部４２もフェルトといことになるが、塗材非付着部４２は、塗材付着部４１（シート片４１ｐ）の厚み分塗材付着部４１によりも、凹んだ、ロール本体４０の中心側へ後退する領域であり、その分塗材付着部４１よりも塗材が付着し難い。
【００２８】
尚ロール本体４０は被覆部４０ａを備えないものとし、芯部材４０ｂの塗材付着部４１間から露出する部位を塗材非付着部４２とするものであってもよい。例えば芯部材４０ｂを紙管とするこの例では、紙管表面の塗材付着部４１間から露出する部位が塗材非付着部４２である。また、芯部材４０ｂをプラスチックの筒状体とする場合、塗材付着部４１間から露出する当該プラスチック表面が塗材非付着部４２となる。
【００２９】
複数の塗材付着部４１は、２種以上の形状又は２種以上の寸法の異なるものを混在させたものである。最も好ましくは、全ての塗材付着部４１は、形状又は寸法の異なるものとする。個々の塗材付着部４１は、多角形や円などの幾何学的な輪郭を備えない非幾何学的な形状とする。塗材付着部４１の輪郭は非幾何学的な曲線にて象られたものとするのが好ましい。但し、当該曲線中一部直線や円弧が含まれるものを排除するものではない。尚一部の塗材付着部４１は幾何学的な輪郭を備えるものであってもよい。
塗材付着部４１（展開状態のシート片４１ｐ）を上記の通り非幾何学的な輪郭を備えるものとすることにより、熟練を要さずとも壁面へ人工的な無機質な印象とならない味わい深い塗装を施すことができる。
【００３０】
また、塗材付着部４１や塗材非付着部４２に上記の通りフェルトやベロア等の毛足の短いパイル地或いはポリエステル綿等の化繊綿を採用することにより、塗材付着部４１や塗材非付着部４２の表面を凹凸のない平滑なものとでき、塗材付着部４１においては均一に塗材を付着させることができる。一方塗材非付着部４２については、突出するところなく均一に後退するものとなるので部分的な塗材の付着が生じ難い。従って、塗装用ロール４の一回の転動で、当該塗装用ロール４を用いて塗装を行った塗装面は、塗材付着部４１と接触した領域内ではムラのない均一な塗材の塗布がなされ、塗材非付着部４２と対面した領域内では意図しない塗材の付着を排除でき、遠目にも視認し易いメリハリのある即ちコントラストの利いた配色が可能である。
【００３１】
この例では、ロール本体４０の直径（外径）は、１ｃｍ以上５．５ｃｍ未満とするのが好ましく特に３．５ｃｍ以上５ｃｍ以下とするのが好ましい。そして、ロール本体４０表面に対する塗材付着部４１の突出幅即ちシート片４１ｐの厚みは、０．５ｍｍ以上５ｍｍ以下とするのが好ましく、特に２ｍｍ以上４ｍｍ以下とするのが好ましい。図１〜図３へ示す塗装用ロール４のロール本体４０の外径は約４ｃｍである。
また、ロール本体４０の軸方向の長さは、１０ｃｍ〜３０ｃｍが好ましく特に１３ｃｍ〜２３ｃｍが好ましい。この例では、ロール本体４０の軸方向の長さは約１８ｃｍである。
塗材付着部４１をフェルトとする場合上記突出幅は０．５ｍｍ以上４ｍｍ以下とするのが特に好ましく、塗材付着部４１をベルベット、ベロア、ベッチン又はコーデュロイとする場合上記突出幅は、２ｍｍ以上４ｍｍ以下とするのが特に好ましい。塗材付着部４１をポリエステル綿とする場合、上記突出幅は、８ｍｍを超えないものとするのが好ましく特に５ｍｍ前後とするのが好ましい。
分散配置される塗材付着部４１同士の間は、最も近接する部位間においても、３ｍｍを下回らないものとするのが好ましく、５ｍｍ以上の間隔を隔てるものとするのがより好ましい。
上記にて塗材非付着部４２は、各塗材付着部４１間に配されて塗材付着部４１の夫々を取り囲み、各塗材付着部４１同士を不規則な飛石状に離間させる連続した領域とされる。
【００３２】
また、複数の塗材付着部４１（シート片４１ｐ）の表面積の合計は、塗材非付着部４２の表面積（芯部材４０ｂの露出表面積）と同じか、塗材非付着部４２の表面積よりも小さいものとし、塗材非付着部４２の表面積の半分を下回らないものとするのが好ましい。
但し、塗装面を複数の色に適切に塗り分けることができるものであれば、塗装用ロール４の各部の寸法は上記寸法範囲を外れるものであっても、これを除外するものではない。
塗材付着部４１の素材は、上記に限定するものではないが、既に述べた通り、ベルベット、ベロア、ベッチン、コーデュロイといったパイル地や、フェルトは毛足が短く表面が平滑で変形する厚みも少ないので、塗材非付着部４２に対し、塗材付着部４１を明確に画することができる。即ち、上記素材にて構成された塗材付着部４１において、使用中も刷毛が寝たり、塗材を保持する部分が伸縮など変形することが少ない。このため、塗材非付着部４２により上記塗材付着部４１を飛石状に離間させる構成が容易に採れ、また当該塗装用ロール４を用いて行った塗装は、多色間でメリハリの利いた彩色を施すことが容易にできる。遠目にも、多色により塗装面が彩色されたことを認識することができるのである。
塗材付着部４１の素材をポリエステル綿などの綿状の化学繊維とする場合も、５ｍｍ以下或いは５ｍｍ前後の厚みのものを採用することにより、塗装において上記と同様の効果を得ることができる。
【００３３】
また、各塗材付着部４１をより小さく形成したり、塗材付着部４１の突出幅（厚み）をより小さくすること、塗材付着部４１間の間隔をより小さく設計すること、或いは塗装回数を増やして彩色数を増加させることで、上記とは対照的にグラデーションの効果を高めることも可能である。
【００３４】
（ペイントローラ１の使用方法）
ここで上記ペイントローラ１を用いた塗装方法について説明する。
先ず、一般的な塗装用ロールが装着されたペイントローラにて塗装面ｔとなる壁面へ塗装を下地ベース塗装として行う（図示しない。）。この一般的な塗装用ロールを用いた塗装により塗装面は無模様単色を呈する（図８（Ａ））。尚図８に示す例では、複数のブロック状の石材を組み上げた状態を模した凹凸を備えた壁面（サイディングボード）を塗装面ｔとする。
上記の下地ベース塗装としては、防水性能を有するシーラー（水性のハイブリットシーラー）を用いるのが好ましい。
【００３５】
本発明に係る上記塗装用ロール４を前述の通り、ペイントローラ１の構成部材である軸部３の上記ロール嵌合部５へ嵌め込む（図３及び図１）。そして把手２を掴んで、上記下地ベース塗装後の塗装面（下地ベースｔ１と呼ぶ。）に対して（図８（Ａ）及び図１０）、当該下地ベースｔ１と異なる色（第１彩色）の塗材を収容するトレイへ塗装用ロール４を浸し、塗装用ロール４の塗材付着部４１へ塗材を付着させる（図示しない）。
【００３６】
上記にて塗装用ロール４へ塗材を付着させたペイントローラ１を上記塗装面ｔ上にて転がし塗材付着部４１に付着した塗材を上記無模様単色の下地ベースｔ１上に塗布する（図８（Ｂ））。当該塗布にて、塗装面ｔの所々に上記下地ベースｔ１と異なる色の塗材で覆う第１彩色塗装面ｔ２を形成することができる（図１０）。図８（Ｂ）に示す例では第１彩色塗装面ｔ２は、淡色の下地ベースｔ１上に暗色の上記第１彩色を所々に施された面となっている。
【００３７】
上記の通り塗材付着部４１に付着した塗材は、離間し点在する非幾何学的な複数の塗材付着部４１により、熟練者でなくとも単に塗装面上にて塗装用ロール４を転がすだけで、塗材の付着領域と塗材を付着させない非付着領域間でメリハリのある遠目にも風合いを感じることができる塗装を施すことができる。
【００３８】
この例では斜めに即ち垂直方向（上下方向）に対し３０度〜６０度の夾角を持つ方向に塗装用ロール４を転がすことにて、第１彩色塗装面ｔ２を形成している（図８（Ｂ））。特に上記垂直方向対しほぼ４５度の夾角を持つ方向へ塗装用ロール４を転がして塗装を行っている。これは石材調の凹凸の伸びる縦方向や横方向と塗装方向を整合させないことによって、人工的ではないより自然な風合いを出すためである。
但し、塗装面ｔ上、上記言及した方向に塗装用ロール４を転がすことに限定するものではなく、目的とする風合いを創出できるものであれば、縦横に伸びる石材調の凹凸に沿って垂直方向又は水平方向に塗装用ロール４を転がすものとしてもよい。
【００３９】
更にこの例では、第１彩色塗装面ｔ２の上に本発明に係る上記塗装用ロール４を取り付けたペイントローラ１で上記第１彩色と異なる色を第２彩色として施す（図９（Ａ））。
この例では第２彩色は下地ベースよりも淡色の色である。
上記第２彩色を施すことにより形成された第２彩色塗装面ｔ３は、更に多色を生かした石材調の風合いを増したものである（図１０）。
【００４０】
尚図面をグレースケールで示す都合上、下地ベースや上記第１彩色及び第２彩色を濃淡でのみ説明したが、色み（色彩）が異なるものとして実施できることは勿論であり、濃淡も図８〜図１０へ示すものに限定するものではなく、図８〜図１０は単なる例示である。
また、需要により或いは納期短縮やコストを優先するために、第２彩色を施さないものとしてもよい。
また第１彩色及び第２彩色と同様の手法にて、塗装面ｔへ更に他の彩色を施すものとしても実施できる（図示しない）。
【００４１】
特にサイディングボードへの塗装において、上記にて形成された第２彩色塗装面ｔ３に対し、耐候性及び低汚染性に優れたシリコン変性樹脂を塗布して、クリヤー仕上げ面ｔ４を形成するのが好ましい（図９（Ｂ）及び図１０）。
但し、サイディングボード以外の塗装では、上記クリヤー仕上げ面ｔ４を形成しないものであってもよいし、またサイディングボードの塗装においてもクリヤー仕上げ面ｔ４の形成を行わないことを排除するものではない。
【００４２】
（他の実施の形態）
図１〜図３へ示す塗装用ロール４において、複数の塗材付着部４１は、夫々一枚のフェルトのシート片にて構成されたものであった。この他、複数のシート片を重ねて塗材付着部４を構成するものとしても実施できる（図４（Ａ）（Ｂ）（Ｄ）及び図４（Ｃ））。
この例では、塗材付着部４の夫々は、ロール本体４０の被覆部４０ａに接着剤にて直接貼り付けられる基片４１ａと、基片４０ａの上に接着剤にて貼り付けられる中間片４１ｂと、中間片４１ｂの上に接着剤にて貼り付けられる先片４１ｃの、３枚のフェルトのシート片にて構成される。最下層となる基片４１ａに対しロール本体４０の径方向外側に位置する中間片４１ｂが上層のシート片となり、中間層４１ｂに対してロール本体４０の径方向外側に位置する先片４１ｃが中間層４１ｂを下層のシート片とする上層のシート片となる。
但し、塗材付着部４は、フェルトのシート片を３枚重ねするものに限定するものではなく、２枚重ねやフェルトのシート片を４枚以上重ねて塗材付着部４を形成するものとしても実施できる。
【００４３】
上記の通りフェルトの複数のシート片を重ねて塗材付着部４１を形成する場合、塗材付着部４１の突出幅（上記各シート片の厚みの合計）は、２ｍｍ〜４ｍｍとするのが好ましい。
但し、本発明の効果を奏するものであれば、塗材付着４１の上記突出幅は、２ｍｍ〜４ｍｍの範囲外であってもよい。
また、基片４１ａと中間片４１ｂと先片４１ｃの夫々は、互いに同じ形状・寸法として実施してもよいが（図４（Ｃ））、中間片４１ｂは基片４１ａによりも小片とし、先片４１ｃは中間片４１ｂよりも小片とし、塗材付着部４がロール本体４０の径外方向に向けて先細りとなるように基片４１ａと中間片４１ｂと先片４１ｃを重ねて固定するものとするのが好ましい。詳しくは、ロール本体４０の軸方向と交差する方向の断面において、基片４１ａと中間片４１ｂと先片４１ｃとが階段状の複数（３段）の段差を呈するように、当該各シート片を配置するのである（図４（Ａ）（Ｂ）（Ｄ））。特に塗材付着部４１の頂点（先片４１ｃ）から麓の各方向に向けて階段を呈するピラミッド状に、基片４１ａと中間片４１ｂと先片４１ｃとを配置するのが好ましい。
【００４４】
上記のように基片４１ａと中間片４１ｂと先片４１ｃの夫々を互いに同じ形状・寸法とした場合、塗装用ロール４を塗装面ｔ上にて転がし図４（Ｃ）へ示すように塗装面ｔ上の窪み（凹部ｋ）に掛かった時、塗材非付着層４２であるロール本体４０表面と塗材付着面４１とがなす隅と凹部ｋとの間に大きな隙間ｓ（空隙）ができ、凹部ｋに対して塗材を予定通りに付着できない危惧がある。しかし、図４（Ａ）（Ｂ）へ示す通り、塗材付着部４がロール本体４０の径外方向に向けて先細りとなるように基片４１ａと中間片４１ｂと先片４１ｃを形成することにより、凹部ｋにおいて上記隙間ｓを小さくすることができ、予定通りの塗装を行うことが可能となる。
図４へ示す実施の形態において、特に言及しなかった事項については、図１〜図３へ示す実施の形態と同様である。
【００４５】
（変更例）
図１〜図４には、塗材付着部４を特にフェルトにて形成した塗装用ロール４を例示した。この他、上記のベルベットや、ベロア、ベッチン、コーデュロイ、ポリエステル綿などの化繊綿にて塗料付着部４を形成することができるのは既に述べた通りである。
そこで図５〜図７へ塗材付着部４にベルベットを用いた変更例を示す。
図５〜図７へ示す例では、ロール本体４０は直径約１．５ｃｍとする。また、塗材付着部４のロール本体４０表面からの突出幅は２ｍｍ〜４ｍｍとする。
図７へ示す通り、この例では、ペイントローラ１の軸部３の軸３１は、ロール嵌合部５を備えない。回転軸３に対し塗装用ロール４（ロール本体４０）が回転自在に嵌められる。図７の３３は回転軸３へ装着した塗装用ロール４の抜け止めを示している。この例では、抜け止め３３は、軸３１先端に嵌められるキャップである。
【００４６】
図５〜図７に示す例では、ロール本体４０の芯部材４０ｂはプラスチック製の棒材であり、中心に軸３１を通す貫通部４０ｃが形成されている（図７）。
ロール本体４０には、接着剤による接着などにて表面にベルベットが植毛された樹脂製の
シート材（必要に応じてベルベットシート４０ｒと呼ぶ。）をプラスチック製の上記芯部材４０ｂの外周面へ固定したものを使用する。尚一例としてベルベットを除いた上記樹脂製のシート材には、ポリプロピレンを採用することができる。
上記ベルベットシート４０ｒ表面には一様にベルベットが設けられており（図６（Ａ）の濃灰部分）、芯部材４０ｂへ固定した後、塗材付着部４１となる領域のベルベットを残して塗材非付着部４２となる領域のベルトベットを除去するのである（図６（Ｃ））。
【００４７】
図５及び図７へ示す塗装用ロール４の製造方法の例としては、図６（Ａ）へ示す通り、上記ベルベットを一様に植毛したベルベットシート４０ｒが接着剤にて上記芯部材４０ｂの表面へ固定された、非塗材付着部４２の形成されていない塗装用ロール４を用意する。このような塗装用ロール４として市販のものを利用することができる。
図６（Ａ）に示す上記塗装用ロール４の表面へ塗材付着部４１とする領域を油性ペンなどのマーカーにてマーキングして囲む（図６（Ｂ））。
そして、当該マーキングされた領域の外側の領域を焼き鏝で焼き払い、塗材非付着部４２を形成する（図６（Ｃ））。焼き鏝には、ハンダ付け用の電気鏝を用いることができる。
【００４８】
焼き鏝にてベルベットと共にベルベットシート４０ｒの（ベルベットを除いた）上記樹脂製のシート材も除去してもよいが、この例ではベルベットシート４０ｒの上記樹脂製のシート材は芯部材４０ｂの外周面を覆う被覆部４０ａとして残存させている。従って図５〜図７へ示す例では、上記樹脂製のシート材の表面、又はベルベットを当該樹脂製のシート材へ固定していた硬化した接着剤の表面が、塗材非付着部４２を構成する。
特許請求の範囲の樹脂には、芯部材４０ｂを構成する筒状のプラスチックの他、上記ベルベットシートの接着剤や上記樹脂製のシート材も含むのである。また、ベルベットを焼き取る以外の周知の方法で除去する場合、芯部材４０ｂを紙管としてもよい。
図５〜図７へ示す実施の形態において、特に言及しなかった事項については、図１〜図３へ示す実施の形態と同様である。
【００４９】
図８〜図１０へ示す塗装において、図１〜図３又は図４へ示す大径の塗装用ロール４にて塗装を行うと共に、図５〜７へ示す小径の塗装用ロール４を併用するものとすることができる。特に、上記大径の塗装用ロール４にて塗装した後、上記小径の塗装用ロール４にて目地を模した凹部への塗装を行うものとすることができる。また、第１彩色塗装面ｔ２を上記大径の塗装用ロール４で形成し、第２彩色塗装面ｔ３を上記小径の塗装用ロール４にて形成するものとすることができる。
【００５０】
図１１及び図１２を用いて更に他の実施の形態について説明する。
この例では、市販されている既成のペイントローラ１（図１１（Ａ））の塗装用ロール１４を利用して、ロール本体４０を形成する（図１２（Ａ））。
即ち、上記塗装用ロール１４の外周面をフェルトで被覆してロール本体４０とする（図１１（Ｂ））。当該被覆により上記塗装用ロール１４の備える刷毛部１４ａは完全に覆い隠される（図１２（Ａ））。
【００５１】
具体的には、この例では帯状のフェルトシートｆを上記塗装用ロール１４の表面へ巻き付ける（図１１（Ｂ））。当該巻き付けにおいて、接着剤にて上記フェルトシートｆを刷毛部１４ａの上へ貼り付けるのである。塗装用ロール１４表面へ巻き付けられた上記フェルトシートｆが被覆部４０ａを構成する（図１２（Ａ））。
【００５２】
そして上記被覆部４０ａの表面へ複数の化繊綿のシートを貼り付けて塗材付着部４１とする（図１２（Ｂ））。この例では、上記化繊綿はポリエステル綿である。
上記化繊綿のシートにて構成された塗材付着部４１の夫々も、図１〜図３へ示す塗材付着部４１と同様飛石状に被覆部４０ａの表面へ配置される。
また、この図１２（Ｂ）へ示す例においても、被覆部４０ａの、塗材付着部４１である化繊綿の間から露出する部分が非塗材付着部４２とされる。
【００５３】
尚、図１１（Ｂ）及び図１２（Ａ）へ示す例において、上記塗装用ロール１４をペイントローラ１の軸３１へ装着した状態にてフェルトシートｆを塗装用ロール１４の表面へ巻き付け、更に塗材付着部４１となる化繊綿を貼り付けるものとした。この他フェルトシートｆの上記巻き付けや化繊綿の上記貼り付けについて、上記塗装用ロール１４をペイントローラ１の軸３１から取り外して行うものとしてもよい。
また、図１１及び図１２へ示す実施の形態においても、塗材付着部４１について、上記化繊綿以外に、フェルトや、ベルベット、ベロア、ベッチン、コーデュロイを採用して実施することができる。図１１及び図１２へ示す実施の形態においても、特に言及しなかった事項については、図１〜図３へ示す実施の形態と同様である。
【符号の説明】
【００５４】
１      ペイントローラ
２      把手
３      軸部
４      塗装用ロール
５      ロール嵌合部
３１    （軸部３の）軸
３２    （軸部３の）中間部
３３      抜け止め
４０    （塗装用ロール４の）ロール本体
４０ａ  （ロール本体４０の）被覆部
４０ｂ  （ロール本体４０の）芯部材
４０ｃ  （変更例としたロール本体４０の）貫通部
４１    （塗装用ロール４の）塗材付着部
４１ａ  （塗材付着部４１の）基片
４１ｂ  （塗材付着部４１の）中間片
４１ｃ  （塗材付着部４１の）先片
４１ｐ  （塗材付着部４１を構成する）シート片
４２    （塗装用ロール４の）塗材非付着部
ｆ    フェルトシート
ｔ    塗装面
ｔ１  下地ベース
ｔ２  第１彩色塗装面
ｔ３  第２彩色塗装面
ｔ４  クリヤー仕上げ面ｔ４
【図１】
2019177320.tif 000003
【図２】
2019177320.tif 000004
【図３】
2019177320.tif 000005
【図４】
2019177320.tif 000006
【図５】
2019177320.tif 000007
【図６】
2019177320.tif 000008
【図７】
2019177320.tif 000009
【図８】
2019177320.tif 000010
【図９】
2019177320.tif 000011
【図１０】
2019177320.tif 000012
【図１１】
2019177320.tif 000013
【図１２】
2019177320.tif 000014